(57)【要約】【課題】段ボール箱のコストを低減することができ、かつ、広告を低コストで展開することが可能な広告サービス方法を提供する。【解決手段】通信販売業者Ａは、商品の梱包用の段ボール箱の表面に広告枠６を設定し、その広告枠６を販売する。また、通信販売業者Ａは、消費者から商品の注文があったときに、その商品を、広告枠６を有する段ボール箱に梱包して発送する。段ボール箱を受け取った各消費者は、その段ボール箱の梱包を解くときに広告枠６の広告を見る。【選択図】図１
2009145758.tif 000002
【特許請求の範囲】
【請求項１】
段ボール箱の表面に広告枠を設定し、その広告枠を販売するステップと、前記段ボール箱を梱包に使用するステップとからなる広告サービス方法。
【請求項２】
段ボール箱の表面に広告枠を設定し、その広告枠を販売するステップと、前記段ボール箱を販売するステップとからなる広告サービス方法。
【請求項３】
前記段ボール箱の販売元がオンラインショッピングモールの運営者であり、前記段ボール箱の販売先が前記オンラインショッピングモールに属するオンラインショップである請求項２に記載の広告サービス方法。
【請求項４】
広告主が提示する広告出稿条件を情報処理装置に記憶するステップと、前記段ボール箱の販売先が提示する広告募集条件を前記情報処理装置に記憶するステップと、その広告出稿条件と広告募集条件のうちから適合する条件の組み合わせを検索するステップとを更に設け、その検索した組み合わせに対応する広告主に前記広告枠を販売する請求項２に記載の広告サービス方法。
【発明の詳細な説明】
【技術分野】
【０００１】
この発明は、段ボール箱を媒体とした広告サービス方法に関する。
【背景技術】
【０００２】
近年、インターネットの普及に伴い、実店舗を持たないオンラインショップや、卸や小売りを通さずに消費者と直接取り引きするメーカーが増えており、その結果、商品が段ボール箱に梱包された状態で消費者に届く機会が増えている。この段ボール箱のコストを低減することができれば、商品の販売者は、競合他社に対して優位性を確保することが可能となる。
【０００３】
また、引越業者や宅配業者も、荷物を梱包するために多数の段ボール箱を使用し、その段ボール箱のコストを低減することができれば、競合他社に対して優位性を確保することが可能となる。
【０００４】
しかし、段ボール箱の市場は、厳しい競争のもとでコスト削減が進んでおり、その販売価格を下げるのは容易でない。
【０００５】
一方、企業が広告を出す場合、その広告媒体としては、バスや電車の車内広告、駅のポスター広告、新聞の紙面広告などが挙げられるが、これらの広告媒体を消費者の場所に展開するためには、多大な労力を要し、高いコストが必要であった。
【発明の開示】
【発明が解決しようとする課題】
【０００６】
この発明が解決しようとする課題は、段ボール箱のコストを低減することができ、かつ、広告を低コストで展開することが可能な広告サービス方法を提供することである。
【課題を解決するための手段】
【０００７】
上記の課題を解決するため、段ボール箱の表面に広告枠を設定し、その広告枠を販売するステップと、前記段ボール箱を梱包に使用するステップとからなる広告サービス方法を提供する。
【０００８】
また、この発明では、前記段ボール箱を梱包に使用するステップにかえて、前記段ボール箱を販売するステップを採用した広告サービス方法も併せて提供する。ここで、前記段ボール箱の販売元としては、例えば、段ボール業者やオンラインショッピングモールの運営者を挙げることができ、オンラインショッピングモールの運営者が販売元となる場合、段ボール箱の販売先として、そのオンラインショッピングモールに属するオンラインショップを挙げることができる。
【０００９】
また、段ボール業者が前記段ボール箱を販売する場合、広告主が提示する広告出稿条件をサーバに記憶するステップと、前記段ボール箱の販売先が提示する広告募集条件をサーバに記憶するステップと、そのサーバに記憶された広告出稿条件と広告募集条件のうちから適合する条件の組み合わせを検索するステップとを更に設け、その検索した組み合わせに対応する広告主に前記広告枠を販売することができる。
【発明の効果】
【００１０】
この発明の広告サービス方法を採用すると、段ボール箱の使用者は、広告枠を販売して収入を得ることができるので、梱包用の段ボール箱のコストが低減し、競合他社に対して優位性を確保することができる。また、その段ボール箱は、梱包資材として各消費者の場所に展開されるので、広告主は、低コストで広告を展開することができる。
【００１１】
また、前記段ボール箱を梱包に使用するステップにかえて、前記段ボール箱を販売するステップを採用すると、段ボール箱の販売者は、広告枠の販売収入を差し引いた金額で段ボール箱を販売することが可能となり、段ボール箱の販売契約を推進することができる。
【００１２】
また、段ボール業者が前記段ボール箱を販売する場合、広告主が提示する広告出稿条件をサーバに記憶するステップと、前記段ボール箱の販売先が提示する広告募集条件をサーバに記憶するステップと、そのサーバに記憶された広告出稿条件と広告募集条件のうちから適合する条件の組み合わせを検索するステップとを更に設け、その検索した組み合わせに対応する広告主に前記広告枠を販売するようにすると、段ボール箱の販売先と広告主のマッチングに要する時間と労力を低減することが可能となる。
【発明を実施するための最良の形態】
【００１３】
図１に、この発明の第１、第２実施形態の広告サービス方法に使用する段ボール箱を示す。この段ボール箱は、対向一対の短側板１，１と、対向一対の長側板２，２とを有し、各短側板１の上縁に内フラップ３が連設され、各長側板２の上縁に外フラップ４が連設されている。短側板１，１と長側板２，２は周壁５を形成し、その周壁５の上端開口は、内フラップ３，３と外フラップ４，４で閉鎖可能となっている。
【００１４】
短側板１と長側板２の表面には、通信販売業者Ａの商標が表示されている。また、各内フラップ３の表面に設定された広告枠６には、広告が表示されており、内フラップ３に重なり合った外フラップ４を開く操作により広告枠６が現れるようになっている。広告枠６への広告の表示は、広告枠６に広告を直接印刷して行なってもよく、広告枠６に広告シールを貼付して行なってもよい。
【００１５】
次に、図２に基づいて、第１実施形態の広告サービス方法を説明する。
【００１６】
まず、通信販売業者Ａは、商品の梱包資材として使用予定の段ボール箱の表面に広告枠６を設定し、その広告枠６の大きさ、広告料金、広告主の資格（例えば、広告主の業種の制限）などを示して広告主を募集する。広告主Ｐ，Ｑ，Ｒからの応募があると、通信販売業者Ａは、広告のデザインや、その広告を掲載する段ボール箱の使用期間について広告主Ｐ，Ｑ，Ｒと交渉する。その交渉の結果、広告枠６を販売する契約が成立すると、通信販売業者Ａは、広告枠６に広告を表示した段ボール箱を段ボール業者に発注し、納入された段ボール箱を商品の梱包に使用する。すなわち、通信販売業者Ａは、消費者から商品の注文があったときに、その商品を、広告枠６を有する段ボール箱に梱包して発送する。段ボール箱を受け取った各消費者は、その段ボール箱の梱包を解くときに広告枠６の広告を見ることになる。
【００１７】
この広告サービス方法を採用すると、通信販売業者Ａは、広告主Ｐ，Ｑ，Ｒから広告収入を得ることができるので、商品梱包用の段ボール箱のコストが低減し、競合他社に対して優位性を確保することができる。また、その段ボール箱は、商品の梱包資材として各消費者の場所に展開されるので、広告主Ｐ，Ｑ，Ｒは、低コストで広告を展開することができる。
【００１８】
また、外フラップ４を開く操作により広告枠６が現れるので、消費者が段ボール箱の梱包を解くときに、広告枠６の広告が確実に消費者の目に入る。しかも、通信販売で購入した商品の梱包を解くときは、消費者の気分が高まった状態にあるので、広告枠６の広告が、消費者に強く印象づけられる。そのため、この段ボール箱を使用した広告サービス方法は、広告の効果が高い。
【００１９】
次に、図３に基づいて、第２実施形態の広告サービス方法を説明する。
【００２０】
まず、段ボール業者は、通信販売業者Ａに販売予定の段ボール箱の表面に広告枠６を設定し、その広告枠６に広告を表示すれば、段ボール箱の販売価格を低減可能であることを通信販売業者Ａに提案する。その提案に通信販売業者Ａが応じた場合、段ボール業者は、その段ボール箱の広告枠６に広告を掲載する広告主を募集し、応募のあった広告主Ｐ，Ｑ，Ｒに、広告のデザインを提示してもらう。段ボール業者は、広告のデザインを通信販売業者Ａに確認した上で、その広告を広告枠６に掲載した段ボール箱を通信販売業者Ａに販売する。通信販売業者Ａは、その段ボール箱を商品の梱包に使用する。
【００２１】
この広告サービス方法を採用すると、段ボール業者は、広告主Ｐ，Ｑ，Ｒから広告収入を得ることができるので、その広告収入を差し引いた金額で段ボール箱を販売することが可能となり、段ボール箱の販売契約を推進することができる。また、通信販売業者Ａも、低コストで段ボール箱を調達することができるので、競合他社に対して優位性を確保することができる。さらに、その段ボール箱は、通信販売業者Ａが商品の梱包資材として使用することにより各消費者の場所に展開されるので、広告主Ｐ，Ｑ，Ｒは、低コストで広告を展開することができる。
【００２２】
この実施形態では、段ボール箱の販売先として通信販売業者Ａを例に挙げて説明したが、段ボール箱は、引越業者Ｂや宅配業者Ｃなど他の販売先に販売してもよい。このようにしても、その段ボール箱は、引越業者Ｂや宅配業者Ｃが荷物の梱包資材として使用することにより各消費者の場所に展開されるので、広告主Ｐ，Ｑ，Ｒは、低コストで広告を展開することができる。
【００２３】
ところで、段ボール箱の販売先が多数あり、段ボール箱の広告枠６に広告希望する広告主も多数ある場合、段ボール箱の販売先と広告主のマッチングを行なうには多大な時間と労力を要する。その時間と労力を低減するため、図４に示すように、段ボール箱の販売先Ａ，Ｂ，Ｃの端末と広告主Ｐ，Ｑ，Ｒの端末とをサーバに接続し、そのサーバを使用して販売先Ａ，Ｂ，Ｃと広告主Ｐ，Ｑ，Ｒのマッチングを行なうことができる。
【００２４】
すなわち、段ボール箱の販売先Ａ，Ｂ，Ｃが提示する広告募集条件（広告枠の大きさ、広告料金、広告主の資格、段ボール箱の使用期間、段ボール箱の末端消費者など）を販売先Ａ，Ｂ，Ｃの端末からサーバに記憶し、一方、広告主Ｐ，Ｑ，Ｒが提示する広告出稿条件（広告の大きさ、広告予算、広告主の業種、広告の掲載期間、広告のターゲット消費者など）を広告主Ｐ，Ｑ，Ｒの端末からサーバに記憶する。次に、その記憶した広告募集条件と広告出稿条件のうちから適合する条件の組み合わせをサーバで検索し、その検索した組み合わせに対応する広告主Ｐ，Ｑ，Ｒに広告枠６を販売する。このようにすると、段ボール箱の販売先Ａ，Ｂ，Ｃと広告主Ｐ，Ｑ，Ｒのマッチングに要する時間と労力を低減することが可能となる。
【００２５】
上記各実施形態では、広告枠６を内フラップ３にのみ設定しているが、広告枠６は、段ボール箱の内フラップ３以外の部分の表面にも設定することができ、例えば、短側板１や長側板２の表面にも設定することができる。
【００２６】
また、上記各実施形態では、広告枠６を設定する段ボール箱として、短側板１，１と長側板２，２とからなる周壁５の上端開口を内フラップ３と外フラップ４とで閉鎖する形式の段ボール箱（Ａ式の段ボール箱）を例に挙げて説明したが、この発明は、缶ビールや缶ジュースなどの飲料缶を収容するラップアラウンドケースにも適用することができ、この場合、広告枠６はラップアラウンドケースの底の表面に設定することができる。
【００２７】
図５に、この発明の第３実施形態の広告サービス方法に使用する段ボール箱を示す。この段ボール箱は、第１実施形態と同様、短側板１１、長側板１２、内フラップ１３、外フラップ１４を有し、短側板１１と長側板１２の表面には、オンラインショッピングモールＥの商標が表示され、内フラップ１３の表面に設定された広告枠１５には、広告が表示されている。
【００２８】
次に、図６に基づいて、第３実施形態の広告サービス方法を説明する。
【００２９】
まず、オンラインショッピングモールＥの運営者は、オンラインショッピングモールＥに属するオンラインショップＸ，Ｙ，Ｚに販売予定の段ボール箱の表面に広告枠１５を設定し、その広告枠１５の大きさ、広告料金、広告主の資格などを示して広告主を募集する。広告主Ｐ，Ｑ，Ｒからの応募があると、オンラインショッピングモールＥの運営者は、広告のデザインや、その広告を掲載する段ボール箱の使用期間について広告主Ｐ，Ｑ，Ｒと交渉する。その交渉の結果、広告枠１５を販売する契約が成立すると、オンラインショッピングモールＥの運営者は、広告枠１５に広告を表示した段ボール箱を段ボール業者に発注し、納入された段ボール箱をオンラインショップＸ，Ｙ，Ｚに販売する。段ボール箱を購入したオンラインショップＸ，Ｙ，Ｚは、消費者から商品の注文があったときに、その商品を、広告枠１５を有する段ボール箱に梱包して消費者に発送する。
【００３０】
この広告サービス方法を採用すると、オンラインショッピングモールＥの運営者は、広告主Ｐ，Ｑ，Ｒから広告収入を得ることができるので、その広告収入を差し引いた金額でオンラインショップＸ，Ｙ，Ｚに段ボール箱を販売することが可能となり、段ボール箱の販売契約を推進することができる。また、オンラインショップＸ，Ｙ，Ｚも、低コストで段ボール箱を調達することができるので、競合他社に対して優位性を確保することができる。さらに、その段ボール箱は、オンラインショップＸ，Ｙ，Ｚが商品の梱包資材として使用することにより各消費者の場所に展開されるので、広告主Ｐ，Ｑ，Ｒは、低コストで広告を展開することができる。
【００３１】
この実施形態では、オンラインショッピングモールＥがオンラインショップＸ，Ｙ，Ｚに販売した段ボール箱は、段ボール業者からオンラインショッピングモールＥに一旦納入した後に、オンラインショッピングモールＥからオンラインショップＸ，Ｙ，Ｚに納入しているが、オンラインショッピングモールＥを経由せずに、段ボール業者からオンラインショップＸ，Ｙ，Ｚに直接納入するようにしてもよい。このようにすると、段ボール箱の輸送コストを低減することができる。
【図面の簡単な説明】
【００３２】
【図１】この発明の第１、第２実施形態の広告サービス方法に使用する段ボール箱を示す斜視図
【図２】この発明の第１実施形態の広告サービス方法のモデルを示すブロック図
【図３】この発明の第２実施形態の広告サービス方法のモデルを示すブロック図
【図４】段ボール箱の販売先の端末と広告主の端末とをサーバに接続した状態を示す説明図
【図５】この発明の第３実施形態の広告サービス方法に使用する段ボール箱を示す斜視図
【図６】この発明の第３実施形態の広告サービス方法のモデルを示すブロック図
【符号の説明】
【００３３】
３          内フラップ
４          外フラップ
６          広告枠
１５        広告枠
Ａ，Ｂ，Ｃ  販売先
Ｅ          オンラインショッピングモール
Ｐ，Ｑ，Ｒ  広告主
Ｘ，Ｙ，Ｚ  オンラインショップ
【図１】
2009145758.tif 000003
【図２】
2009145758.tif 000004
【図３】
2009145758.tif 000005
【図４】
2009145758.tif 000006
【図５】
2009145758.tif 000007
【図６】
2009145758.tif 000008